(57)【特許請求の範囲】
【請求項１】
内視鏡の処置具挿通チャンネルに挿脱される可撓性シースの先端に配置された鉗子片が上記可撓性シースの基端側からの遠隔操作によって嘴状に前方に向かって開閉されるようにした内視鏡用鉗子において、
多数の光学ファイバーからなるライトガイドを、上記可撓性シースの外周の全周に重なり合わない状態に一重に沿う環状の配列で上記可撓性シースの長手方向に沿って配置して、そのライトガイドの射出端面を、上記可撓性シースの先端付近の上記鉗子片の開閉方向と異なる方向の位置であって上記鉗子片が開いた状態のときに上記鉗子片によって前方が遮られない位置のみに、複数重ね合わせて前方に向けて配置し、上記鉗子片が開いた状態のときに上記ライトガイドの射出端面から射出される照明光が上記鉗子片の前方に照射されるようにしたことを特徴とする内視鏡用鉗子。
【発明の詳細な説明】
【０００１】
【発明の属する技術分野】
この発明は内視鏡用鉗子に関する。
【０００２】
【従来の技術】
内視鏡用鉗子は一般に、内視鏡の処置具挿通チャンネルに挿脱される可撓性シースの先端に配置された鉗子片が、可撓性シースの基端側からの遠隔操作によって開閉されるようになっている。
【０００３】
【発明が解決しようとする課題】
内視鏡の処置具挿通チャンネルの出口は、観察窓や照明窓等と並んで内視鏡の挿入部の先端に配置されている。
【０００４】
したがって、処置具挿通チャンネルの出口から突出された内視鏡用鉗子の鉗子片が開いた状態では、内視鏡の照明窓から放射された照明光が鉗子片の背側に当たる状態になる。
【０００５】
そのため、鉗子片の前方にある患部が鉗子片の影になって少し薄暗くなってしまうだけでなく、内視鏡の照明光量が自動制御されている場合には、反射率が粘膜面より格段に大きな鉗子片の背側に当たって反射した光により照明光量が低減制御されるので、患部が一層薄暗くなって観察が不明瞭になってしまう。
【０００６】
そこで本発明は、鉗子片が開いた状態でも、その前方にある患部を明るく照明して、良好な内視鏡観察下に鉗子処置を行うことができる内視鏡用鉗子を提供することを目的とする。
【０００７】
【課題を解決するための手段】
上記の目的を達成するため、本発明の内視鏡用鉗子は、内視鏡の処置具挿通チャンネルに挿脱される可撓性シースの先端に配置された鉗子片が可撓性シースの基端側からの遠隔操作によって開閉されるようにした内視鏡用鉗子において、可撓性シースの長手方向に沿ってライトガイドを配置してそのライトガイドの射出端部を可撓性シースの先端付近に配置し、鉗子片が開いた状態のときにライトガイドの射出端部から射出される照明光が鉗子片の前方に照射されるようにしたものである。
【０００８】
なお、鉗子片が嘴状に開閉する場合、その開閉方向から外れた位置にライトガイドの射出端部が配置されているとよい。
【０００９】
【発明の実施の形態】
図面を参照して本発明の実施例を説明する。
図６は、本発明の実施例の生検鉗子１０が内視鏡１の処置具挿通チャンネル２に挿通された状態を示している。
【００１０】
処置具挿通チャンネル２に挿脱される生検鉗子１０の可撓性シース１１の先端には、一対の鉗子片１２が嘴状に開閉するように配置されており、可撓性シース１１の基端に連結された鉗子操作部１３には、鉗子片１２を遠隔的に開閉操作するためのスライド操作部材１４が配置されている。
【００１１】
処置具挿通チャンネル２は、内視鏡１の挿入部３内の全長にわたって挿通配置されている。そして、処置具挿通チャンネル２の出口２ａは挿入部３の先端に開口形成されており、それと並んで、図示されていない観察窓や照明窓等が配置されている。
【００１２】
そのような構成により、処置具挿通チャンネル２の出口２ａから突出する可撓性シース１１の先端に配置された鉗子片１２が、内視鏡観察視野の中央付近に観察される。４は内視鏡操作部である。
【００１３】
図１は、生検鉗子１０の先端部分の側面図、図２はその正面断面図である。また、図３及び図４はいずれも平面断面図であり、図３は、図１におけるIII−III断面図、図４はIV−IV断面図である。
【００１４】
可撓性シース１１は、例えばステンレス鋼線を一定の径で密着巻きしたコイルパイプ１１ａとそれを外装する可撓性チューブ１１ｂによって形成されており、可撓性シース１１の先端に取り付けられた先端本体１５のスリット内に、公知のリンク機構１６が配置されている。
【００１５】
可撓性シース１１の軸線位置には、スライド操作部材１４によって軸線方向に進退操作される操作ワイヤ１８が配置されていて、その先端はリンク機構１６に連結されている。１７は、鉗子片１２を回動自在に先端本体１５に支持する支持軸である。
【００１６】
このような構成により、鉗子操作部１３においてスライド操作部材１４を操作することにより、操作ワイヤ１８が進退してリンク機構１６が駆動され、一対の鉗子片１２が、図１に実線と二点鎖線で示されるように、支持軸１７を中心に嘴状に開閉動作をする。
【００１７】
このような生検鉗子１０の可撓性シース１１には、長手方向に沿って多数の光学ファイバーからなるライトガイド１９が配置されている。ライトガイド１９は、図３等に示されるようにコイルパイプ１１ａの外面の全周に一重に配置されていて、可撓性チューブ１１ｂによって外装被覆されている。
【００１８】
そしてライトガイド１９は、可撓性シース１１の先端と先端本体１５との連結部付近において、図４等に示されるように、リンク機構１６と干渉しない１８０°対称の位置に移行して、先端本体１５の外周では二重或いは三重に重ねられて固着されている。
【００１９】
ライトガイド１９の射出端面１９ａは先端本体１５の先端の近傍に前方に向けて配置されており、その位置はちょうど鉗子片１２の開閉方向と９０°異なる方向である。したがって、鉗子片１２が開いた状態でもライトガイド１９の射出端面１９ａの前方が鉗子片１２によって遮られない。
【００２０】
ライトガイド１９の入射端側は、図６に示されるように、可撓性シース１１の基端側から延出して光源装置２０に接続されるようになっており、図１及び図２等にＡで示されるように、射出端面１９ａから照明光を射出させて鉗子片１２の前方を照明することができる。
【００２１】
このように構成された生検鉗子１０を、図５に示されるように、処置具挿通チャンネル２の出口２ａから突出させて鉗子片１２を開くと、内視鏡１の照明窓５から放射される照明光Ｂが鉗子片１２の背面に当たってしまうが、生検鉗子１０のライトガイド１９から射出される照明光Ａが患部１００に直接照射されるので、患部１００を明るく鮮明に観察して安全に組織採取を行うことができる。
【００２２】
なお、本発明は上記実施例に限定されるものではなく、本発明を生検鉗子以外の把持鉗子等にも適用することができる。
【００２３】
【発明の効果】
本発明によれば、可撓性シースの長手方向に沿って配置したライトガイドの射出端部を可撓性シースの先端付近に配置し、鉗子片が開いた状態のときにライトガイドの射出端部から射出される照明光が鉗子片の前方に照射されるようにしたことにより、鉗子片が開いた状態でも、その前方にある患部を明るく照明して良好な内視鏡観察下に生検や把持等の鉗子処置を安全に行うことができる。
【図面の簡単な説明】
【図１】本発明の実施例の内視鏡用鉗子の側面図である。
【図２】本発明の実施例の内視鏡用鉗子の正面断面図である。
【図３】本発明の実施例の内視鏡用鉗子の、図１におけるIII−III断面図である。
【図４】本発明の実施例の内視鏡用鉗子の、図１におけるIV−IV断面図である。
【図５】本発明の実施例の内視鏡用鉗子の使用状態を示す略示図である。
【図６】本発明の実施例の内視鏡用鉗子が内視鏡の挿通チャンネルに挿通された状態の全体構成を示す側面図である。
【符号の説明】
１  内視鏡
２  処置具挿通チャンネル
３  挿入部
１０  生検鉗子
１１  可撓性シース
１１ａ  コイルパイプ
１１ｂ  可撓性チューブ
１２  鉗子片
１５  先端本体
１９  ライトガイド
１９ａ  射出端面
【図１】
0003998981.tif 000002
【図２】
0003998981.tif 000003
【図３】
0003998981.tif 000004
【図４】
0003998981.tif 000005
【図５】
0003998981.tif 000006
【図６】
0003998981.tif 000007